(57)【要約】【目的】ＣＤチェンジャーにおけるディスクチェックの時間短縮を図ったディスク再生方法を提供する。【構成】選択されたディスクのディスクチェック時に、ＣＤＤＡかデータディスクかを判定してメモリ装置４にマガジン２のディスク番号と対にして記憶し、さらにデータディスクの場合は最終セッション認識処理を行って最終セッションのＰＶＤアドレスを取得してメモリ装置４にディスク番号と対にして記憶することにより、以後、同一のディスクを選択して再生する際には、ディスク種別の判定を行わずに前記メモリ装置４に記憶されたディスク種別データに基づいて、ＣＤＤＡの場合は再生に移行し、データディスクの場合はセッション認識処理を行わずに前記メモリ装置４に記憶された当該ディスクのＰＶＤアドレスからＰＶＤデータを読み込んでディスク構造の解析処理を行ってデータファイルの再生に移行するようにした再生方法。【選択図】  図２
2004185747.tif 000002
【特許請求の範囲】
【請求項１】
マガジンにセットされた複数枚のＣＤからディスクの選択及び再生を行うＣＤチェンジャーのディスク再生方法において、
選択されたディスクの再生始めのディスクチェックの際に、当該ディスクがＣＤＤＡかデータディスクかのディスク種別を判定し、その判定したディスク種別をマガジン上の前記選択されたディスクの位置を示すディスク番号と対にしてメモリ装置に記憶し、ディスク種別判定結果がデータディスクである場合にはさらに前記選択されたディスクのリードインエリアのサブコードＱデータを基に最終セッション認識処理を行って最終セッションのリードインエリアにあるサブコードＱデータからＰＶＤアドレスを取得して前記メモリ装置に前記ディスク番号と対にして記憶することにより、以後、マガジンの前記ディスク番号を指定して同一のディスクを選択して再生する際には、ディスク種別の判定を行わずに前記メモリ装置に記憶されたディスク種別データに基づいて、ＣＤＤＡの場合はＣＤＤＡ再生に移行し、データディスクの場合はセッション認識処理を行わずに前記メモリ装置に記憶された当該ディスクの最終セッションのＰＶＤアドレスからＰＶＤデータを読み込んでディスク構造の解析処理を行ってデータファイルの再生に移行するようにしたことを特徴とするＣＤチェンジャーのディスク再生方法。
【発明の詳細な説明】
【０００１】
【発明の属する技術分野】
本発明は、マガジンにセットされたＣＤＤＡ（一般的な音楽ＣＤ；サンプリング周波数４４．１ＫＨｚ、量子化１６ビットでデジタル化した音楽信号を記録したもの。）やデータディスクであるＣＤ−Ｒ、ＣＤ−ＲＷ等の複数枚のＣＤ（コンパクトディスク）から１枚を選択して再生するＣＤチェンジャーの再生方法に関する。
【０００２】
【従来の技術】
ＣＤＤＡの再生に加えて、主として圧縮オーディオファイルを記録したＣＤ−Ｒ／ＣＤ−ＲＷを再生できるＣＤチェンジャーの再生では、システムコントローラのマイクロコンピュータが処理する図４に示される再生開始時のディスクチェックのフローチャートのように、ホストコントローラからのディスクチェンジ命令を受けてディスクが交換される度に、先ず選択されたディスクがＣＤＤＡかデータディスクかのディスク種別判定を行った後に、ＣＤＤＡであれば再生に移行し、データディスクであれば、さらに当該データディスクのセッション認識処理を行ってＰＶＤ（Ｐｒｉｍａｒｙ  Ｖｏｌｕｍｅ  Ｄｅｓｃｒｉｐｔｏｒ）のアドレス（Ａ．ＴＩＭＥ）の読み込み処理を行った後、ディスク構造解析処理して圧縮音声の再生に移行している。
【０００３】
上記のように追記が可能なＣＤ−Ｒ／ＣＤ−ＲＷのようなデータディスクの場合には、そのファイナライズの有無に拘わらずディスクチェックに際して必ずセッション認識処理を行っている（例えば、特許文献１参照。）。
【０００４】
【特許文献１】
特開平５−１４４１５７号公報
【０００５】
【発明が解決しようとする課題】
上記従来のＣＤチェンジャーでは、ユーザーがディスクチェンジのボタンを押してからマガジンから新たに選択されたディスクの音声データがスピーカから出力されるまでに、ＣＤＤＡの場合には数秒の待時間であるが、データディスクの場合には１０〜５０秒という長い待時間を強いられていた。
【０００６】
即ち、上記ディスク種別判定には１秒程度を要し、上記データディスクのセッション認識処理時間は数十秒を要しているのである。
【０００７】
イジェクトしていない状態のマガジンにセットされた複数枚のＣＤにおいても、前にディスク種別判定及びデータディスクのセッション構造をチェックしていたディスクであっても、ディスクチェンジの後に再び選択されると同じように長時間を要するセッション認識処理を含むディスクチェックを行っていた。
【０００８】
ＭＰ３やＷＭＡ等による圧縮オーディオデータが記録されたＣＤ−Ｒ／ＣＤ−ＲＷでは、追記したセッション数が多いほどセッション認識処理に要する時間が増大することになり、最大９９セッションまで追記可能なので、ファイナライズされていないデータディスクに在ってはセッション認識処理に数分を要することも有り得る。
【０００９】
本発明は上記事情に鑑みてなされたものであり、再度ディスクが選択されて再生される場合には、再生始めのディスクチェックにおけるディスク種別判定処理とデータディスクのセッション認識処理を省いてオーディオデータ再生までの待時間を短縮するようにしたＣＤチェンジャーのディスク再生方法を提供するものである。
【００１０】
【課題を解決するための手段】
本発明は上記課題を達成するために、マガジン２にセットされた複数枚のＣＤからディスクの選択及び再生を行うＣＤチェンジャー１０のディスク再生方法において、選択されたディスクの再生始めのディスクチェックの際に、当該ディスクがＣＤＤＡかデータディスクかのディスク種別を判定し、その判定したディスク種別をマガジン２上の前記選択されたディスクの位置を示すディスク番号と対にしてメモリ装置４に記憶し、ディスク種別判定結果がデータディスクである場合にはさらに前記選択されたディスクのリードインエリアのサブコードＱデータを基に最終セッション認識処理を行って最終セッションのリードインエリアにあるサブコードＱデータからＰＶＤアドレスを取得して前記メモリ装置４に前記ディスク番号と対にして記憶することにより、以後、マガジン２の前記ディスク番号を指定して同一のディスクを選択して再生する際には、ディスク種別の判定を行わずに前記メモリ装置４に記憶されたディスク種別データに基づいて、ＣＤＤＡの場合はＣＤＤＡ再生に移行し、データディスクの場合はセッション認識処理を行わずに前記メモリ装置４に記憶された当該ディスクの最終セッションのＰＶＤアドレスからＰＶＤデータを読み込んでディスク構造の解析処理を行ってデータファイルの再生に移行するようにしたことを特徴とするＣＤチェンジャー１０のディスク再生方法を提供する。
【００１１】
【発明の実施の形態】
本発明に係るＣＤチェンジャーのディスク再生方法の実施の形態について図面に基づいて説明する。
【００１２】
図１は本発明に係るＣＤチェンジャーのディスク再生方法が適用されるハードウェア例を示すブロック図である。
【００１３】
図２は本発明に係るディスク再生方法のフローチャートである。
【００１４】
図３は本発明に係るメモリ装置に記憶されたマガジンのディスク番号と対のディスク種別、ＰＶＤアドレスのデータを表すデータテーブルである。
【００１５】
先ず、本発明の実施の形態の例においては、図１に記載されたブロック図のように、マガジン２にオーディオ信号が記録されたＣＤＤＡ又は追記可能なＣＤ−ＲやＣＤ−ＲＷに圧縮オーディオファイルを記録したデータディスクを複数枚セットすることで、これらのＣＤから１枚を選択して再生できるＣＤチェンジャー１０と外部のホストコントローラ１１からなるハードウェアを典型とする。
【００１６】
ディスクに記録されたオーディオデータ自身の再生方法は従来方法と変わらない。本発明のＣＤチェンジャーのディスク再生方法は、ホストコントローラ１１よりマガジン２から選択されたディスクのローディング後のディスク種別判定処理からディスクのオーディオデータの再生に至る前までのディスクチェックの処理方法に特徴を有するものである。
【００１７】
なお、本発明に言うセッション（ｓｅｓｓｉｏｎ）は、追記可能なＣＤ−ＲやＣＤ−ＲＷにおけるリードイン、データ、リードアウトの１セットで構成されるデータ構造を１セッションと言い、追記の度にセッション数が増えていく。そして１セッションのリードインの後のデータエリアの始め（ＬＢＮ＝１６のところ）にはＰＶＤ（Ｐｒｉｍａｒｙ  Ｖｏｌｕｍｅ  Ｄｅｓｃｒｉｐｔｏｒ）がおかれている。このＰＶＤには、ボリュームの大きさ、パステーブルのアドレス、ルートディレクトリレコード等が記録されている。このＰＶＤを読み込むことで、パステーブルからセッションの階層構造が判り、ルートディレクトリレコードからサブディレクトリのアドレスが判り、サブディレクトリから実ファイルのアドレスが判るというふうにセッション認識処理において重要なファイル位置情報記述子である（詳しくはＩＳＯ９６６０、Ｏｒａｎｇｅ  Ｂｏｏｋ参照。）。
【００１８】
以下、本発明の再生方法について、図１のブロック図及び図２のフローチャートにおける四角枠で示された処理ステップ番号に対応させて説明する。
［ステップ０］・・・先ず、ホストコントローラ１１（図１参照）より、ディスクチェンジする旨の命令を受信したら、選択されたディスク番号から、該当するディスクをＣＤ読み取り装置上にローディングする。
［ステップ１］・・・ローディング後、選択されたディスクが既にデータディスクかＣＤＤＡディスクかどうか判定済みであるか、システムコントローラ３上のメモリ装置４（例えばマイクロコンピュータチップに内蔵のフラッシュＲＯＭ等のメモリ部）に記録したディスク番号と対になった記憶データにて判定する。
【００１９】
判定済みでないならば［ステップ２］ヘ移行する。判定済みであったなら［ステップ４］へ移行する。
［ステップ２］・・・上記［ステップ１］で判定済みでないならば、ディスクのファーストトラックのサブコードＱのコントロールビットを読み込み、そのビットから、そのトラックがデータトラックならデータディスク、それ以外ならＣＤＤＡと判定する。
［ステップ３］・・・上記［ステップ２］で判定したデータディスク又はＣＤＤＡの判定結果とディスク番号を図３のデータテーブルのように対にして、システムコントローラ３上のメモリ装置４に記憶する。
［ステップ４］・・・上記［ステップ２］で判定したディスクがＣＤＤＡであったならば、そのままＣＤＤＡ再生に移行する。データディスクならば［ステップ５］へ移行する。
［ステップ５］・・・上記［ステップ２］で判定したディスクがデータディスクと判定されたならば、該当ディスクのＰＶＤ（Ｐｒｉｍａｒｙ  Ｖｏｌｕｍｅ  Ｄｅｓｃｒｉｐｔｏｒ）のアドレス（Ａ．ＴＩＭＥ）が既に取得済みか、システムコントローラ３上のメモリ装置４に記録したディスク番号と対になった記憶データにて判定する。もし記憶済みディスクであれば、［ステップ９］ヘ移行する。記憶済みでないならば、［ステップ６］へ移行する。
［ステップ６］・・・上記［ステップ５］で記憶済みでないならば、リードインエリアのサブコードＱデータを元にセッション認識処理をし、最終セッションを探す。
［ステップ７］・・・最終セッションが認識されたならば、最終セッションのリードインエリアにあるサブコードＱデータから、ＰＶＤのアドレス（Ａ．ＴＩＭＥ）を取得する。
［ステップ８］・・・図３のデータテーブルのように上記ＰＶＤのアドレスをディスク番号と対にしてシステムコントローラ３のメモリ装置４に記憶する。
［ステップ９］・・・上記ＰＶＤのアドレスから得られたＰＶＤデータを読み込む。
［ステップ１０］・・ＰＶＤデータによってデータディスクの構造を解析して、圧縮音声ファイルの再生に移行する。
【００２０】
以上のステップをシステムコントローラ３のプログラミングされたマイクロコンピュータが実行することによって、マガジン２の同じディスク番号を指定して前に再生したことのある同一のディスクを選択して再生する際には、ディスク種別の判定を行わずに前記メモリ装置４に記憶されたディスク種別データに基づいて、ＣＤＤＡの場合はＣＤＤＡ再生に移行し、データディスクの場合はセッション認識処理を行わずに前記メモリ装置４にデータテーブルとして記憶された当該ディスクの最終セッションのＰＶＤアドレスからＰＶＤデータを読み込んでディスク構造の解析処理を行ってデータファイルの再生に移行することが迅速に行われることになる。
【００２１】
本発明者の試算によれば、（１）同一ディスクが再度選択された場合は、このディスク種別判定処理の省略によって音出しまでの時間を約１秒短縮させる効果が得られる。これはＣＤＤＡとデータディスクの双方に当てはまる。
【００２２】
また、（２）同一データディスク（ＣＤ−Ｒ、ＣＤ−ＲＷ）が再度選択された場合は、セッション認識処理の省略によって１０〜５０秒程度（追記セッション数が多い場合はそれ以上）の時間が短縮される。なお、データディスクのファイナライズの有無に拘わらず上記（２）の時間短縮効果が得られ、ファイナライズされていない場合は最終セッションの検索に要する余分な時間も短縮されるのでより一層の時間短縮となる。
【００２３】
なお、本再生方法はマガジン２からセットされたディスクをイジェクトしない状態でディスク番号とセットされたディスクの対応が維持されていることを前提とする。
【００２４】
【発明の効果】
本発明に係るＣＤチェンジャーのディスク再生方法では、セットされたデータディスクの最初の再生の始めのディスクチェックが終了した時点で、当該データディスクのＰＶＤのアドレスをチェンジャーのディスク番号と対にしてシステムコントローラ等のマイクロコンピュータのメモリに記憶するので、一旦最終セッションのＰＶＤアドレスが記憶されたディスクが再び選択された場合には、セッション認識処理は行わずに直接メモリに記憶された当該ディスク番号のＰＶＤのアドレスを読み出すので、音声データが出力されるまでの時間を大幅に短縮することができるという優れた効果を有する。
【００２５】
また、データディスク又はＣＤＤＡの同一ディスクがマガジンから再度選択された場合は、ディスク種別判定処理とディスク種類記憶処理を省略するので、音出しまでの時間を短縮させることができる。
【００２６】
【図面の簡単な説明】
【図１】本発明に係るＣＤチェンジャーのディスク再生方法が適用されるハードウェア例を示すブロック図である。
【図２】本発明に係るディスク再生方法のフローチャートである。
【図３】本発明に係るメモリ装置に記憶されたマガジンのディスク番号と対のディスク種別、ＰＶＤアドレスのデータを表すデータテーブルである。
【図４】従来のＣＤチェンジャーにおける再生開始時のディスクチェックのフローチャートである。
【符号の説明】
２      マガジン
３      システムコントローラ
４      メモリ装置
１０      ＣＤチェンジャー
１１      ホストコントローラ
【図１】
2004185747.tif 000003
【図２】
2004185747.tif 000004
【図３】
2004185747.tif 000005
【図４】
2004185747.tif 000006